(57)【要約】【課題】  装着状態が良好で確実にコンテナ内の空間を仕切ることが可能なコンテナ用仕切り部材を提供する。【解決手段】  コンテナ用仕切り部材は、底板と、その両側にヒンジを介して連設される一対の側板とを有し、連設される底板と側板の各端縁には、それぞれ互いに当接することで側板の内倒れを規制する内倒れ防止部が形成されている。内倒れ防止部は、底板及び側板の端縁近傍を内方に向かって突出する段差面とすることで形成され、互いに対向する端面が傾斜面とされている。コンテナ内に側板を立設したコンテナ用仕切り板を複数重ねて挿入することで、コンテナ内の空間が複数に仕切られる。仕切り部材は、立設された側板の先端面が他の仕切り部材の底板の底面に当接することで積み重ねられる。【選択図】  図３
2018144866.tif 000002
【特許請求の範囲】
【請求項１】
底板と、その両側にヒンジを介して連設される一対の側板とを有し、
連設される底板と側板の各端縁には、それぞれ互いに当接することで側板の内倒れを規制する内倒れ防止部が形成されていることを特徴とするコンテナ用仕切り部材。
【請求項２】
前記内倒れ防止部は、底板及び側板の端縁近傍を内方に向かって突出する段差面とすることで形成され、互いに対向する端面が傾斜面とされていることを特徴とする請求項１記載のコンテナ用仕切り部材。
【請求項３】
前記段差面とされた内倒れ防止部において、外側面は底板または側板の主面から内方に向かって後退していることを特徴とする請求項２記載のコンテナ用仕切り部材。
【請求項４】
コンテナ内に側板を立設した請求項１記載のコンテナ用仕切り板を複数重ねて挿入することで、コンテナ内の空間が複数に仕切られていることを特徴とするコンテナの仕切り構造。
【請求項５】
仕切り部材の立設された側板の先端面が他の仕切り部材の底板の底面に当接することで重ねられていることを特徴とする請求項４記載のコンテナの仕切り構造。
【請求項６】
前記立設された側板の先端面は、内倒れ防止部が形成された位置において、内方に向かって屈曲されていることを特徴とする請求項５記載のコンテナの仕切り構造。
【発明の詳細な説明】
【技術分野】
【０００１】
本発明は、コンテナ用仕切り部材及びコンテナの仕切り構造に関するものであり、特に、内倒れせず取り扱いが容易なコンテナ用仕切り部材、及びこれを用いたコンテナの仕切り構造に関する。
【背景技術】
【０００２】
種々の物品（食品、部品や製品等）が収容されて保管・搬送されるコンテナとして、折り畳み式コンテナや保冷コンテナ等が知られている。例えば折り畳み式コンテナは、長方形の底板と、底板の各対向する辺（長辺・短辺）に起立転倒自在に連結された一対の第１側板及び第２側板を備えるものであり、組み立てるには、先ず第１側板を回動させて起立させ、その後で第２側板を回動させて起立させ、起立した両側板をロックする。
【０００３】
この種のコンテナにおいては、蓋とコンテナ本体との間の密閉性、さらには、側板相互間の密閉性を高めることが必要である。例えば、起立した両側板の上端面の高さが異なると、蓋の下面と側板の上面との間にスキマが開き、コンテナの密閉性が悪くなる。また、コンテナ本体のみを積み重ねる際に、上側に積み重ねられるコンテナ本体の安定性が悪くなることもある。
【０００４】
そこで、密閉性が良好な、すなわち、起立した側板の上端面の高さに差が生じない折り畳み式コンテナが提案されている（例えば特許文献１を参照）。
【０００５】
特許文献１に記載される折り畳みコンテナは、短側板と長側板とを隅部で接続する接続手段を有するものである。接続手段は、長側板の端部内面から内側（コンテナの凹所側）に突き出す突片と、短側板４０の端部に形成された切欠きとからなる。突片と切欠きとはテーパ状に形成されており、突片と切欠きとの係合時の楔効果により両側板が引き寄せられて固定される。これにより、両側板間の密閉性が高まる。
【先行技術文献】
【特許文献】
【０００６】
【特許文献１】特開２０１１−３７４９９号公報
【発明の概要】
【発明が解決しようとする課題】
【０００７】
ところで、この種のコンテナでは、物品の収容形態が多様化しており、例えばコンテナ内の空間を仕切り部材で上下に仕切って使用することが検討されている。ここで、コンテナ内部を上下に仕切る仕切り部材としては、いわゆる箱状のものが多く、コンテナ内部への装着が煩雑であったり、仕切り部材自体の容積がコンテナの内容積を削減してしまう等、課題が多い。
【０００８】
本発明は、このような従来の実情に鑑みて提案されたものであり、簡易な構成でありながら、コンテナに簡単に装着することができ、取り扱いが容易であるばかりでなく、装着状態も良好で確実にコンテナ内の空間を仕切ることが可能なコンテナ用仕切り部材を提供することを目的とし、さらには、コンテナの仕切り構造を提供することを目的とする。
【課題を解決するための手段】
【０００９】
前述の目的を達成するために、本発明のコンテナ用仕切り部材は、底板と、その両側にヒンジを介して連設される一対の側板とを有し、連設される底板と側板の各端縁には、それぞれ互いに当接することで側板の内倒れを規制する内倒れ防止部が形成されていることを特徴とする。また、本発明のコンテナの仕切り構造は、コンテナ内に側板を立設した前記コンテナ用仕切り板を複数重ねて挿入することで、コンテナ内の空間が複数に仕切られていることを特徴とする。
【００１０】
本発明のコンテナ用仕切り部材は、底板に両側にヒンジを介して側板を連設しただけの簡単な構造を有するものであり、側板を立ててコンテナ内に挿入するだけで設置することができる。側板は、内倒れ防止部の機能により、内方に倒れ込む内倒れすることがなく、側板の不用意な内倒れによる取り扱い難さが解消される。
【発明の効果】
【００１１】
本発明によれば、簡易な構成で、且つ取り扱いが容易でコンテナに簡単に装着することができ、装着状態も良好で確実にコンテナ内の空間を仕切ることが可能なコンテナ用仕切り部材、及びコンテナの仕切り構造を提供することが可能である。
【図面の簡単な説明】
【００１２】
【図１】コンテナの概略斜視図である。
【図２】コンテナの折り畳みの様子を示す概略斜視図である。
【図３】コンテナ用仕切り部材の装着状態を示す分解斜視図である。
【図４】コンテナ用仕切り部材の装着状態を示す概略断面図である。
【図５】コンテナ用仕切り部材の側板を立ち上げた状態を示す概略斜視図である。
【図６】コンテナ用仕切り部材を広げた状態を示す概略斜視図である。
【図７】図５のｘ−ｘ線における概略断面図である。
【図８】図６のｙ−ｙ線における概略断面図であり、仕切り部材をコンテナに装着した状態での図である。
【図９】内倒れ防止部を拡大して示す概略断面図である。
【図１０】ストッパ部を形成した内倒れ防止部の拡大断面図である。
【図１１】ストッパ部を形成した内倒れ防止部を有するコンテナ用仕切り部材を積み重ねた際の内倒れ防止部近傍の拡大断面図である。
【発明を実施するための形態】
【００１３】
以下、本発明を適用したコンテナ用仕切り部材及びコンテナの仕切り構造の実施形態について、図面を参照しながら詳細に説明する。
【００１４】
先ず、本発明のコンテナ用仕切り部材によって内部空間が仕切られるコンテナについて説明する。コンテナ１は、図１及び図２に示すように、物品を収容し得るボックス状のコンテナ本体１１と、コンテナ本体１１の開口部を閉じる蓋１２とから構成されている。
【００１５】
コンテナ本体１１は、底面を構成する平面形状が長方形の底板２１と、側壁を構成する一対の短辺側板２２，２３及び一対の長辺側板２４，２５とからなる。短辺側板２２，２３及び長辺側板２４，２５は、底板２１に折り畳み可能に連結している。コンテナ本体１１を折り畳む際は、図２に示すように、短辺側板２２，２３を内側に折り畳み、その後、長辺側板２４，２５を、折り畳まれた短辺側板２２，２３に重ねるように折り畳む。
【００１６】
さらに、コンテナ本体１１には、起立した短辺側板２２，２３と長辺側板２４，２５とを、コンテナ本体１１の隅で接続する接続機構や、起立した短辺側板２２，２３と長辺側板２４，２５とをロックするロック機構等を備えており、これら接続機構やロック機構により組み立て状態が維持されるようになっている。
【００１７】
コンテナ１は、例えば冷蔵食品や冷凍食品用の保冷コンテナであり、その場合、底板２１や短辺側板２２，２３、長辺側板２４，２５、さらには蓋１２を中空二重壁構造とすることで、断熱性が維持される。中空二重壁構造とした底板２１や短辺側板２２，２３、長辺側板２４，２５には、その内部に発泡材等の断熱材が挿入されていてもよい。
【００１８】
仕切り部材３０は、前記コンテナ１内に装着することによりコンテナ１の内部空間を複数に仕切るものである。具体的には、図３に示すように、例えば２つの仕切り部材３０を重ねてコンテナ１内に挿入することで、コンテナ１内の空間が上下２つに分割される。
【００１９】
図４は、コンテナ１内部で２つの仕切り部材３０が積み重ねられた状態を示すものであり、２つの仕切り部材３０を設置することで、下側の仕切り部材３０で仕切られた下方収容空間と、上側の仕切り部材３０によって仕切られた上方収容空間が形成される。すなわち、コンテナ１を２段構成とすることが可能であり、各空間にそれぞれ物品を収容することが可能である。
【００２０】
次に、仕切り部材３０の構成について説明すると、仕切り部材３０は、図５及び図６に示すように、底板３１の両側（本例では、長辺側）にそれぞれ側板３２，３３がヒンジ３４，３５を介して連設されてなるものである。図５は、仕切り部材３０を広げた状態を示す図であり、図６は、側板３２，３３を立ち上げた状態を示す図である。コンテナ１の内部空間を仕切り際には、図６に示すように側板３２，３３を立ち上げた状態で使用する。
【００２１】
仕切り部材３０も、コンテナ１と同様、２枚の樹脂シートの間に空間を有するように成形した中空二重壁構造を有するものであり、例えば図６に示すように、各側板３２，３３にスリット状のリブ３２ａ，３３ａを形成することで、機械的強度が確保されている。スリット状のリブ３２ａ，３３ａは、コンプレッションにより凹部として形成され、この部分では表裏２枚の樹脂シートが溶着されている。中空二重壁構造とコンプレッション部とが交互に形成されることで、強度が大幅に向上する。
【００２２】
前記ヒンジ３４，３５は、中空二重壁構造を有する仕切り部材３０を線状にコンプレッションすることにより形成されるものである。ヒンジ３４，３５においては、中空二重壁構造が押し潰されて２枚の樹脂シートが溶着されて一体化しており、１枚の樹脂シートと同様、屈曲可能とされている。したがって、仕切り部材３０においては、図５に示す広げた状態から、ヒンジ３４，３５を折り曲げることで、図６に示すように、側板３２，３３を立ち上げることが可能である。
【００２３】
ヒンジ３４，３５のコンプレッションは、金型を用いて行うが、型抜きの容易さや金型強度等を考慮すると、用いる金型に傾斜を付与することが好ましい。例えば、金型の押し込み方向に対して両側に１０°〜３０°程度の傾斜を付けておくことで、金型の離型も良好になり、金型強度も向上する。コンプレッションに際して、仕切り部材３０を金型に対して傾けるように成形すれば、金型の片側のみに傾斜を付与することも可能である。
【００２４】
図７は、図５のｘ−ｘ線における断面図であり、ヒンジ３５の近傍を拡大して示すものである。ヒンジ３４，３５は、仕切り部材３０の内面側にコンプレッショにより形成されており、ヒンジ３４，３５の裏面側においては、底板３１や側板３２，３３が前記傾斜（１０°〜３０°程度の傾斜）をもって後退している。したがって、図８に示すように、ヒンジ３４，３５の裏面側において、側板３２，３３を立ち上げた時に角部に空間が形成される形になる。コンテナ１の角部は曲面形状であることが多く、仕切り部材３０のヒンジ３４，３５近傍をこのような形状としておかないと、仕切り部材３０を隙間なく敷き設することができない。
【００２５】
前述の仕切り部材３０は、立ち上げた状態の側板３２，３３が倒れ込んでしまうと、積み重ね状態を安定に維持することが難しくなり、物品を収容するための空間を確保することが難しくなる。例えば、側板３２，３３を立ち上げた状態でコンテナ１内に収容すると、仕切り部材３０の側板３２，３３の外側面は、コンテナ１の内壁面で支持される形になるので、側板３２，３３が外方に向かって倒れ込む（外倒れする）ことはない。
【００２６】
これに対して、側板３２，３３の内側は、コンテナ１によって何ら支持されないことから、不用意に倒れ込み易い。この側板３２，３３の内方への倒れ込み（内倒れ）は、仕切り部材３０で仕切られる空間の形成の障害になり、また、下方の仕切り部材３０の側板３２，３３の先端で上方の仕切り部材３０の底面を支えるという構成を考えた時に、積み重ねができなくなるという問題もある。
【００２７】
そこで、本実施形態の仕切り部材３０では、底板３１と側板３２の連設部分、及び底板３１と側板３３の連設部分に内倒れ防止部４０を設け、側板３２，３３の内倒れを防止するようにしている。本実施形態の場合、底板３１と側板３２の連設部分に３か所、底板３１と側板３３の連設部分に３か所、計６か所に内倒れ防止部４０が設けられている。
【００２８】
各内倒れ防止部４０は、底板３１側の突き当て部４１と、側板３２，３３側の突き当て部４２とから構成されており、各突き当て部４１，４２は、いずれも内方に膨出する矩形の段差領域として形成されている。
【００２９】
図９は、内倒れ防止部４０近傍を拡大して示す図であり、例えば底板３１の突き当て部４１は、底板３１のヒンジ３４，３５に沿った端縁近傍の矩形領域が、周囲が折り曲げられて内方（上方）に向かって持ち上げられたような段差部として形成されている。突き当て部４１の矩形状の上面４１ａは、上方に突出する段差面として形成されており（すなわち、突き当て部４１において、底板３１の外側面は底板３１の主面から内方に向かって後退する形で形成されており）、下面４１ｂは、底板３１の突き当て部４１が形成されていない部分の上面３１ａと概ね面一とされている。突き当て部４１の側板３２，３３側の端面４１ｃは、底板３１から持ち上がった形で立ち上がり状態の側板３２，３３の突き当て部４２と対向することになり、略４５°で傾斜する傾斜面とされている。
【００３０】
側板３２，３３の突き当て部４２も同様であり、側板３２，３３のヒンジ３４，３５に沿った端縁近傍の矩形領域が、周囲が折り曲げられて内方に向かって突出するような段差部として形成されている（すなわち、突き当て部４２において、側板３２，３３の外側面は側板３２，３３の主面から内方に向かって後退する形で形成されている）。突き当て部４２の矩形状の内側面４２ａは、内方に突出する段差面として形成されており、外側面４２ｂは、側板３２，３３の突き当て部４２が形成されていない部分の内側面３２ａ，３３ａと概ね面一とされている。突き当て部４２の底板３１側の端面４２ｃは、側板３２，３３から突出する形で底板３１の突き当て部４１と対向することになり、略４５°で傾斜する傾斜面とされている。
【００３１】
前記構成を有する内倒れ防止部４０においては、側板３２，３３が立ち上がり状態となると、側板３２，３３に設けられた突き当て部４２の端面４２ｃが底板３１に設けられた突き当て部４１の端面４１ｃと当接する。各端面４１ｃ，４２ｃは、それぞれ略４５°で傾斜する傾斜面として形成されているので、これらが当接することにより側板３２，３３が略直角に立ち上がった状態で保持される。また、前記端面４１ｃ，４２ｃの当接により、それ以上側板３２，３３が内側に倒れ込むことがなくなり、内倒れが防止される。
【００３２】
また、側板３２，３３を立ち上げた状態の仕切り部材３０を重ねることでコンテナ１内の空間の仕切りを行うが、この時、下方の仕切り部材３０の側板３２，３３の先端面３２ｂ，３３ｂが上方の仕切り部材３０の底板３１の底面３１ａに当接することでこれを支持する。したがって、側板３２，３３の先端面３２ｂ，３３ｂ近傍の機械的強度が高いことが好ましい。
【００３３】
そこで、本実施形態の仕切り部材３０では、側板３２，３３の先端部に、屈曲部３２ｄ，３３ｄを内倒れ防止部４０に対応してそれぞれ３箇所設けている。これら屈曲部３２ｄ，３３ｄは、内倒れ防止部４０と同様、側板３２，３３の先端面３２ｂ，３３ｂ近傍を内方に向かって突出させることで形成されている。
【００３４】
このように側板３２，３３の先端部に屈曲部３２ｄ，３３ｄを形成することで、側板３２，３３の先端部の機械的強度が向上するとともに、底板３１に対して当接する当接領域を拡大することになり、仕切り部材３０の積み重ね状態が安定なものとなる。
【００３５】
下方の仕切り部材３０の側板３２，３３の先端部と上方の仕切り部材３０の底板３１の当接構造としては、これに限らず、例えば下方の仕切り部材３０の側板３２，３３の先端部が、上方の底板３１に形成された突き当て部４１に入り込むような形としてもよい。
【００３６】
図１０及び図１１は、下方の仕切り部材３０の側板３２，３３の先端部と上方の仕切り部材３０の底板３１の当接構造の他の例を示すものである。内倒れ防止部４０の構成は、図９に示す例と同様であるが、これに加えて、底板３１側の突き当て部４１の裏面側に位置決め突部５１が設けられている。また、底板３１側の突き当て部４１に対応する位置において、下方の仕切り部材３０の側板３２，３３の先端部が突出して形成されている。
【００３７】
このような構成の仕切り部材３０を積み重ねた状態では、図１１に示すように、下方の仕切り部材３０の側板３２，３３の先端部が底板３１側の突き当て部４１の裏面側の凹部内に入り込み、また、底板３１側の突き当て部４１の裏面に設けられた位置決め突部５１により、その位置が規制される。その結果、例えば上段の仕切り部材３０において、荷物を積み重ねた場合、荷物の重みで底板３１がたわんだ時にも、前記位置決め突部５１があることで底板３０が内側に落ち込むことを防止できる。したがって、このような積み重ね状態とすることで、仕切り部材３０の積み重ね状態をより安定なものとすることが可能である。
【００３８】
以上の通り、本実施形態の仕切り部材３０は、簡易な構成で、且つ取り扱いが容易でコンテナに簡単に装着することができ、装着状態も良好である。したがって、本実施形態の仕切り部材３０を用いることで、確実にコンテナ１内の空間を仕切ることが可能である。
【００３９】
以上、本発明を適用した実施形態についてを説明してきたが、本発明が前述の実施形態に限られるものでないことは言うまでもなく、本発明の要旨を逸脱しない範囲において、種々の変更を加えることが可能である。
【符号の説明】
【００４０】
１  コンテナ
１１  コンテナ本体
１２  蓋
２１  底板
２２，２３  短辺側板
２４，２５  長辺側板
３０  仕切り部材
３１  底板
３２，３３  側板
３４，３５  ヒンジ
４０  内倒れ防止部
４１，４２  突き当て部
４１ｃ，４２ｃ  端面
【図１】
2018144866.tif 000003
【図２】
2018144866.tif 000004
【図３】
2018144866.tif 000005
【図４】
2018144866.tif 000006
【図５】
2018144866.tif 000007
【図６】
2018144866.tif 000008
【図７】
2018144866.tif 000009
【図８】
2018144866.tif 000010
【図９】
2018144866.tif 000011
【図１０】
2018144866.tif 000012
【図１１】
2018144866.tif 000013